(57)【要約】【課題】本発明は用紙ロールを使用するサーマルプリンタ付き携帯機器に関し、単票用紙も使用可能とすることを目的とする。【解決手段】用紙ロール収容部用カバー４０の先端に単票用紙挿入口４３が形成してある。このカバー４０が閉じられた状態で、単票用紙挿入口４３に差し込まれた単票用紙２００を、プラテンローラ５０の周囲に沿ってサーマルヘッド２２にまで導く単票用紙案内機構７０が形成される。【選択図】図１
2007210133.tif 000002
【特許請求の範囲】
【請求項１】
ケースに対して開閉可能に設けてある用紙ロール収容部用カバーを有し、該カバーが閉じられた状態で、該カバーの先端のプラテンローラが印字ヘッドに押し付けられる構成のプリンタ付き機器において、
前記カバーの一部に、単票用紙が挿入可能である単票用紙挿入口を設けた構成としたことを特徴とするプリンタ付き機器。
【請求項２】
ケースに対して開閉可能に設けてある用紙ロール収容部用カバーを有し、該カバーが閉じられた状態で、該カバーの先端のプラテンローラが印字ヘッドに押し付けられる構成のプリンタ付き機器において、
前記カバーのうち、前記プラテンローラの近傍の位置であって、閉じられた状態で前記プリンタ付き機器の上面となる部分に、単票用紙が挿入可能である単票用紙挿入口を設けた構成としたことを特徴とするプリンタ付き機器。
【請求項３】
印字ヘッドを有し且つ用紙ロール収容部を備えているケースと、
前記ケースに開閉可能に設けてあり、閉じた状態で、前記用紙ロール収容部を覆うカバーと、
該カバーの先端に支持してあるプラテンローラとを有し、
前記カバーが閉じられた状態で、該カバーが前記用紙ロール収容部を覆い、前記プラテンローラが前記ヘッドに押し付けられた状態となる構成のプリンタ付き機器において、
前記カバーのうち、前記プラテンローラの近傍の位置であって、閉じられた状態で前記プリンタ付き機器の上面となる部分に、単票用紙が挿入可能である単票用紙挿入口を設け、
且つ、前記単票用紙挿入口に挿入された単票用紙を前記プラテンローラが前記印字ヘッドを押し付けている部位に導く単票用紙案内機構が、前記カバーが閉じられた状態で形成されるようにしたことを特徴とするプリンタ付き機器。
【請求項４】
請求項３に記載のプリンタ付き機器において、
前記単票用紙案内機構は、
前記カバーの先端側の面であって、前記単票用紙挿入口から延在して前記プラテンローラの周面に沿う単票用紙案内面と、
前記カバーのうち前記単票用紙挿入口の近傍にであって、前記単票用紙案内面の途中の位置に設けてあり、前記プラテンローラに押し当っている第１のピンチローラと、
前記ケースの側に設けてあり、前記カバーが閉じられた状態で、前記単票用紙案内面の前記単票用紙挿入口とは反対側の端に臨む位置で、前記プラテンローラに押し当る第２のピンチローラとよりなる構成としたことを特徴とするプリンタ付き機器。
【請求項５】
請求項１乃至請求項３のうち何れか一項に記載のプリンタ付き機器において、
前記カバーには、前記単票用紙挿入口の上方に、上方向に向かって末広がりの形状の入口案内部が形成してある構成としたことを特徴とするプリンタ付き機器。
【請求項６】
請求項１乃至請求項３のうち何れか一項に記載のプリンタ付き機器において、
前記カバーには、前記単票用紙挿入口の部分に、単票用紙が挿入されたことを検知するセンサが組み込んである構成としたことを特徴とするプリンタ付き機器。
【発明の詳細な説明】
【技術分野】
【０００１】
本発明はプリンタ付き機器に係り、特に、サーマルプリンタを備えており、クラムシェルタイプであり、屋外で使用される検針業務用の携帯機器に関する。
【背景技術】
【０００２】
現在、検針業務用の携帯機器は、サーマルプリンタを備えており、クラムシェルタイプであり、用紙ロールを用いる構成である。この携帯機器は、屋外で使用されて、例えば、電気の使用量、電気料金等を印刷して、これを家庭のポストに投函する業務に使用される。
【特許文献１】特開２００４−１９５８０５号公報
【発明の開示】
【発明が解決しようとする課題】
【０００３】
検針業務に関連して、担当者は、料金の受領書を印刷する必要がある。この受領書は単票用紙であり、用紙ロールを用いる携帯機器では印刷が出来ない。そこで、担当者は、検針業務用の携帯機器の他に、単票用紙印刷用の携帯機器を携帯している。このため、担当者は、携帯するものが嵩張ってしまっていた。また、検針業務者は、各担当者毎に、検針業務用の携帯機器の他に単票用紙印刷用の携帯機器を用意することが必要となり、経済的負担が大きかった。
【０００４】
そこで、本発明は、上記の点に鑑みてなされたプリンタ付き機器を提供することを目的とする。
【課題を解決するための手段】
【０００５】
本発明は、ケースに対して開閉可能に設けてある用紙ロール収容部用カバーを有し、該カバーが閉じられた状態で、該カバーの先端のプラテンローラが印字ヘッドに押し付けられる構成のプリンタ付き携帯機器において、
前記カバーの一部に、単票用紙が挿入可能である単票用紙挿入口を設けた構成としたことを特徴とする。
【発明の効果】
【０００６】
本発明によれば、閉じられたカバーに形成してある単票用紙挿入口に単票用紙を挿入することによって、単票用紙への印字が可能となる。即ち、用紙ロールを使用する機器において、単票用紙の運用も出来る。
【発明を実施するための最良の形態】
【０００７】
次に本発明の実施の形態について説明する。
【実施例１】
【０００８】
図１及び図２は本発明の実施例１になる検針業務に使用されるサーマルプリンタ付き携帯機器１０を示す。サーマルプリンタ付き携帯機器１０は、片方の手で持って支え、他方の手で操作するものであり、直方体形状である。Ｘ１−Ｘ２は幅方向、Ｙ１−Ｙ２は長手方向、Ｚ１−Ｚ２は高さ方向である。
【０００９】
図１は用紙ロール収容部用カバー４０が閉じられている状態を示す。図２はカバー４０が開かれた状態を示す。図３は携帯機器１０のＹ１側の部分の内部の構造を拡大して示す。
【００１０】
携帯機器１０は、外形がＹ１−Ｙ２に長い形状のケース１１よりなり、且つ、ケース１１上面のＹ１−Ｙ２の中央部に液晶表示部１２を有し、液晶表示部１２よりＹ２側にキー入力部１３を有しており、液晶表示部１２よりＹ１側に、サーマルヘッドモジュール２０、用紙ロール収容部３０、及び用紙ロール収容部用カバー４０を有する構成であり、クラムシェルタイプである。
【００１１】
サーマルヘッドモジュール２０は、図３及び図４に示すように、フレーム２１に、サーマルヘッド２２、ステッピングモータ２３、第２のピンチローラ２４、ギヤ列（図示せず）等が組み付けてある構成である。
【００１２】
フレーム２１は、プラテンローラ５０の両端の軸部が嵌合される凹部２１ａ及びロール用紙案内部２１ｂを有する。凹部２１ａの入り口に板ばね製のフック２７が設けてある。
ロール用紙案内部２１ｂは、上面にロール用紙案内面２１ｃを有する。ロール用紙案内面２１ｃは、Ｙ１側が低い傾斜面である。
【００１３】
サーマルヘッド２２は、支持部材２５に固定してあり、支持部材２５のＺ２端がフレーム２１に取り付けてあり、板ばねによってＹ１方向に付勢されている。
【００１４】
第２のピンチローラ２４は、元々存在しているロール用紙案内部２１ｂを利用して設けてある。即ち、第２のピンチローラ２４は、ロール用紙案内部２１ｂの内部の空間に組み込んであり、バネ２６によってＺ１方向に付勢されており、ロール用紙案内面２１ｃのうちＹ２側の端の付近に突き出ている。
【００１５】
用紙ロール収容部３０は、ケース１１のＹ２端側の部分に形成してあり、使用する用紙ロールのサイズに対応した凹形状を有する。
【００１６】
用紙ロール収容部用カバー４０は、略半円筒形状であり、一端をヒンジ４９によって用紙ロール収容部３０の先端に支持されており、開閉可能である。
【００１７】
用紙ロール収容部用カバー４０の先端に、プラテンローラ５０、第１のピンチローラ５１、及び単票用紙センサ５５が設けてある。
【００１８】
図４に拡大して示すように、用紙ロール収容部用カバー４０の先端は、略Ｚ２側に張り出した第１の張り出し部４１を有し、且つ、Ｚ１側に張り出した第２の張り出し部４２を有し、更に、単票用紙挿入口４３を有する。
【００１９】
第１の張り出し部４１は、第１のピンチローラ５１を組み込むための部分としての役割りを有し、且つ、略Ｚ２側に、ロール用紙案内面４１ａを有し、略Ｚ１側に、単票用紙を案内する単票用紙案内面４１ｂを有する。ロール用紙案内面４１ａは、用紙ロール収容部用カバー４０が閉じた状態でフレーム２１のロール用紙案内面２１ｂに接近して対向する。単票用紙案内面４１ｂは、単票用紙挿入口４３から延在し、プラテンローラ５０の周面に沿う曲面であり、その先端４１ｃは、用紙ロール収容部用カバー４０が閉じた状態で、第２のピンチローラ２４の直ぐＹ１側に位置する。
【００２０】
第１のピンチローラ５１は、第１の張り出し部４１の内部の空間に組み込んであり、ばね５２によって付勢されており、単票用紙案内面４１ｂより突き出てプラテンローラ５０に押し当っている。
【００２１】
第２の張り出し部４２は、図４中、Ｌ字形状であり、水平板部４２ａと垂直板部４２ｂとを有し、プラテンローラ５０を覆うプラテンローラカバーとしての役割り、及び単票用紙挿入口４３に挿入される単票用紙を単票用紙挿入口４３に案内する単票用紙入り口側案内部としての役割りを有する。
【００２２】
プラテンローラ５０は、第２の張り出し部４２の内側の空間に設けてある。
【００２３】
単票用紙挿入口４３は、垂直板部４２ｂの用紙ロール収容部用カバー４０への接続部分に形成してあり、単票用紙が通るスリット形状である。なお、単票用紙挿入口４３は、用紙ロール収容部用カバー４０が閉じられた状態で、サーマルプリンタ付き携帯機器１０の上面となる部分に形成してある。
【００２４】
単票用紙挿入口４３の入口案内部４４は、第２の張り出し部４２の垂直板部４２ｂと用紙ロール収容部用カバー４０の一部の板部４０ａによって形成され、用紙ロール収容部用カバー４０が閉じられた状態で、Ｚ１方向に向かって末広がりの形状である。
【００２５】
用紙ロール収容部用カバー４０が閉じられた状態で、単票用紙挿入口４３は携帯機器１０のＺ１側に、即ち、上面に位置しており、且つ、入口案内部４４が略Ｚ１方向に向かって末広がりとなっているため、後述するように単票用紙を単票用紙挿入口４３へ挿入する操作は容易になされる。
【００２６】
また、図５に示すように用紙ロール収容部用カバー４０を閉じた状態で、単票用紙挿入口４３に挿入された単票用紙をプラテンローラ５１がサーマルヘッド２２を押し付けている部位に導く単票用紙案内機構７０が形成される。この単票用紙案内機構７０は、図７（Ａ）に併せて示すように、単票用紙案内面４１ｂ、プラテンローラ５０、第１のピンチローラ５１、第２のピンチローラ２４、及びサーマルヘッド２２のＺ２側の部分によって形成される。
【００２７】
次に、上記構成のサーマルプリンタ付き携帯機器１０の操作及び動作について説明する。
［通常の状態］
図２及び図３に示すように、用紙ロール収容部用カバー４０を開いて、感熱紙製の用紙ロール１００を用紙ロール収容部３０に置き、ロール用紙１０１を少し引き出した状態とし、用紙ロール収容部用カバー４０を閉じる。用紙ロール収容部用カバー４０は、プラテンローラ５０の両端の軸部が凹部２１ａに嵌合され、板ばね製のフック２７によって係止されてロックされる。
【００２８】
この操作によって、携帯機器１０は図５に示す状態となる。即ち、用紙ロール収容部用カバー４０が用紙ロール収容部３０内の用紙ロール１００を覆い、プラテンローラ５０が連続紙であるロール用紙１０１を挟んでサーマルヘッド２２及び第２のピンチローラ２４に押し付けられ、且つ、ロール用紙案内面４１ａがロール用紙案内面２１ｂに接近して対向して、ロール用紙案内部６０が形成される。第２のピンチローラ２４は、単票用紙案内面４１ｂの先端４１ｃに臨む位置、即ち、単票用紙案内面４１ｂの単票用紙挿入口４３とは反対側の端に臨む位置で、プラテンローラ５０に押し当っている。
【００２９】
ロール用紙１０１は、ロール用紙案内部６０、第２のピンチローラ２４とプラテンローラ５０との間、サーマルヘッド２２とプラテンローラ５０との間を通って、携帯機器１０の上方に出ている。
【００３０】
この状態でキー入力部１３を適宜操作することによって、サーマルヘッド２２が駆動されて印字がなされる。また、モータ２３が駆動されて正転され、モータ２３の回転がギヤ列（図示せず）を介してプラテンローラ５０に伝達され、プラテンローラ５０が時計方向に回転され、ロール用紙１０１は矢印Ａ１方向に送られ、印字されたロール用紙１０１Ａが携帯機器１０の上方に送り出される。
【００３１】
なお、用紙ロール収容部用カバー４０を閉じた状態で、単票用紙案内機構７０が形成されている。
［単票用紙を使用する場合］
単票用紙を使用する場合には、キー入力部１３で単票用紙使用モードを選択する操作を行なう。この操作によって、モータ２３が逆転駆動され、プラテンローラ５０が反時計方向に回転され、第１のピンチローラ２４とプラテンローラ５０とによってロール用紙１０１は矢印Ａ２方向に送られ、ロール用紙１０１は携帯機器１０内に送り込まれ、その先端が第１のピンチローラ２４の個所を通り過ぎてロール用紙案内部６０に入った位置まで戻される。これによって、第２のピンチローラ２４からサーマルヘッド２２にかけての区間にロール用紙１０１は存在しなくなる。
【００３２】
次いで、図１に示すように、単票用紙２００を上方より単票用紙挿入口４３へ矢印Ｂで示すように手差しで挿入する。単票用紙２００は感熱紙製である。
【００３３】
ここで、広い入口案内部４４が携帯機器１０の上面に開口しており且つ板部４０ａが入口案内部４４のＹ１側から略Ｚ１方向に延在している構成である。このため、単票用紙２００を単票用紙挿入口４３に挿入する操作は、単票用紙２００をその印刷開始端２００ａを下方に向けた姿勢で、入口案内部４４を通して、板部４０ａに沿って落とし込むことで足り、単票用紙２００の端を単票用紙挿入口４３の位置に合わせる面倒な操作は不要であり、操作性が良い。
【００３４】
この操作によって、図６及び図７（Ａ）に示すようになる。即ち、単票用紙２００は、その下端部が単票用紙挿入口４３を通過して、第２のピンチローラ５１がプラテンローラ５０に押し当っている部位にまで到っており、且つ、斜めの板部４０ａに寄りかかって且つ用紙ロール収容部用カバー４０の上面に支持された安定な状態となる。
【００３５】
単票用紙２００が上記のように挿入されて用紙センサ５５が単票用紙２００を検知すると、モータ２３が駆動されて自動給紙動作が行われ、単票用紙２００は単票用紙案内機構７０によってプラテンローラ５０の周囲に沿ってＵターンするように案内されてサーマルヘッド２２の位置にまで進む。
【００３６】
即ち、ステッピングモータ２３が所定のステップ数駆動されて正転される。モータ２３の回転がギヤ列（図示せず）を介してプラテンローラ５０に伝達され、プラテンローラ５０が時計方向に回転される。このプラテンローラ５０に押し当っている第２のピンチローラ５１及び第１のピンチローラ２４が共に反時計方向に回転される。
【００３７】
最初に、単票用紙２００の下端部は、プラテンローラ５０と第２のピンチローラ５１との間に食い込んで、プラテンローラ５０と第２のピンチローラ５１とによって送られ、単票用紙案内面４１ｂ上に送り出され、図７（Ｂ）に示すようになる。
【００３８】
プラテンローラ５０と第２のピンチローラ５１との間より送り出された単票用紙２００の先端部は、単票用紙案内面４１ｂによって案内され徐々に水平とされ、第１のピンチローラ２４がプラテンローラ５０に押し当っている個所に到り、プラテンローラ５０と第１のピンチローラ２４との間に食い込んで、プラテンローラ５０と第１のピンチローラ２４とによって送られ、サーマルヘッド２２に向かって送り出され、図８（Ａ）に示すようになる。
【００３９】
最終的には、単票用紙２００の先端部がサーマルヘッド２２とプラテンローラ５０との間に挟まれ、図８（Ｂ）に示すようになる。この段階でステッピングモータ２３が停止される。
【００４０】
次いで、キー入力部１３を適宜操作することによって、サーマルヘッド２２が駆動されて印字がなされる。また、モータ２３が再度駆動されて正転され、モータ２３の回転がギヤ列（図示せず）を介してプラテンローラ５０に伝達され、プラテンローラ５０が時計方向に回転され、第１、第２のピンチローラ２４、５１が反時計方向に回転され、単票用紙２００は図９に示すように矢印Ｂ方向に送られ、印字された単票用紙２００Ａが携帯機器１０の上方に送り出される。
［再度、ロール用紙１０１に印刷を行なう場合］
図３に示すように、用紙ロール収容部用カバー４０を開いて、用紙ロール１００からロール用紙１０１を少し引き出した状態とし、用紙ロール収容部用カバー４０を閉じてロックする。これによって、ロール用紙１０１に印刷をすることが可能な状態となる。
【００４１】
なお、板ばね製のフック２７に代えて、図１０に示す、ロック爪１１０ａ有するレバー１１０を設けた構成としてもよい。
【００４２】
また、用紙ロール１００を軸に嵌合させ、この軸の端にノブを設け、このノブがケースの側面の外側に位置するように配置した構成としてもよい。この場合には、単票用紙を使用するに際しては、このノブを回してロール用紙１０１を用紙ロール１００に巻き取って後退させる。
【００４３】
また、本発明は、携帯機器１０に限らず、据え置き型の機器にも適用可能である。
【００４４】
また、特許請求の範囲に記載の「印字ヘッド」には実施例のサーマルヘッドが対応する。
【図面の簡単な説明】
【００４５】
【図１】本発明の実施例１になるサーマルプリンタ付き携帯機器の斜視図である。
【図２】図１のサーマルプリンタ付き携帯機器の用紙ロール収容部用カバーを開いた状態を示す図である。
【図３】携帯機器のＹ１側の部分の内部の構造を拡大して示す図である。
【図４】用紙ロール収容部用カバーの先端の部分とサーマルプリンタモジュールの一部とを対向させて拡大して示す図である。
【図５】サーマルプリンタ付き携帯機器の通常の動作状態を示す図である。
【図６】単票用紙を差し込んだときの状態を示す図である。
【図７】単票用紙の自動給紙の進行を順を追って示す図である。
【図８】図７（Ｂ）に続く単票用紙の自動給紙の進行を順を追って示す図である。
【図９】単票用紙への印字動作の状態を示す図である。
【図１０】用紙ロール収容部用カバーのロック機構の変形例を示す図である。
【符号の説明】
【００４６】
１０  サーマルプリンタ付き携帯機器
１１  ケース
１２  液晶表示部
１３  キー入力部
２０  サーマルヘッドモジュール
２１  フレーム
２１ｂ  ロール用紙案内部
２１ｃ  ロール用紙案内面
２２  サーマルヘッド
２３  ステッピングモータ
２４  第２のピンチローラ
２６  ばね
３０  用紙ロール収容部
４０  用紙ロール収容部用カバー
４０ａ  板部
４１  第１の張り出し部
４１ａ  ロール用紙案内面
４１ｂ  単票用紙案内面
４２  第２の張り出し部
４３  単票用紙挿入口
４４  入口案内部
４９  ヒンジ
５０  プラテンローラ
５１  第１のピンチローラ
５２  ばね
５５  単票用紙センサ
６０  ロール用紙案内部
７０  単票用紙案内機構
２００  単票用紙
【図１】
2007210133.tif 000003
【図２】
2007210133.tif 000004
【図３】
2007210133.tif 000005
【図４】
2007210133.tif 000006
【図５】
2007210133.tif 000007
【図６】
2007210133.tif 000008
【図７】
2007210133.tif 000009
【図８】
2007210133.tif 000010
【図９】
2007210133.tif 000011
【図１０】
2007210133.tif 000012